(57)【要約】【課題】予め登録されたユーザが街灯近くを通過するときのみ点灯し、ユーザの移動速度等に応じて適切な照度に調整できること。【解決手段】エリア内を移動するユーザが携行するユーザＩＤが格納された発信器と、発信器から出力される電波を受信し、ユーザＩＤを読み取る受信センサを有し、エリア内に分散して配置された街灯装置と、街灯装置とネットワークを介して接続する予約サーバとを有する街灯制御システムであって、街灯装置には予約サーバから送られてくる点灯指令に基づいて、点灯させる発光ダイオードの数を調整して点灯させる点灯装置を備え、予約サーバには、ユーザの移動速度を算出するエリア位置受信処理手段と、ユーザが予め設定した希望する明るさ区分、性別、ユーザの移動速度に基づいて、エリア内の街灯の照度を演算する照度計算手段と、該照度計算手段によって演算された照度を点灯指令として該当装置へ送信する点灯指令送信手段とを備える。【選択図】図１
2012003937.tif 000002
【特許請求の範囲】
【請求項１】
エリア内を移動するユーザが携行するユーザ識別情報が格納された発信器と、
前記発信器から出力される電波を受信し、前記ユーザ識別情報を読み取る受信センサを有し、エリア内に分散して配置された街灯装置と、
前記街灯装置とネットワークを介して接続する予約サーバと、
を含んで構成される街灯制御システムであって、
前記街灯装置は、
前記受信センサで読み取ったユーザ識別情報を該街灯装置の識別情報とともにユーザ位置情報として前記予約サーバへ送信する通信装置と、
前記予約サーバから送られてくる点灯指令に基づいて、点灯させる発光ダイオードの数を調整して点灯させる点灯装置を備え、
前記予約サーバは、
ユーザの性別その他のユーザ属性情報を保存するユーザデータベースと、
前記街灯装置から受信したユーザ識別情報と、該ユーザ識別情報を送信した前記街灯装置の識別情報とを、該ユーザ識別情報を受信した時刻情報に関連付けて記録するユーザ位置受信処理手段と、
前記ユーザ位置受信処理手段により、同一のユーザ識別情報について異なる街灯装置からユーザ位置情報が受信された場合に、前記夫々の街灯装置の識別情報と予め備える街灯装置間の距離を前記時刻情報に基づいて算出された街灯装置間の移動時間で除して、移動速度を算出するエリア位置受信処理手段と、
予約対象のエリアにいるユーザが予め設定した希望する明るさ区分、該ユーザの性別、該ユーザの移動速度に基づいて、エリア内の街灯の照度を演算する照度計算手段と、
該照度計算手段によって演算された照度を点灯指令として、前記該当装置へ送信する点灯指令送信手段と、
を備えたことを特徴とする街灯制御システム。
【請求項２】
照度計算手段は、ユーザによって省エネモードが許可されていない場合は、エリア内にいるユーザの希望する明るさ区分のみに基づいて照度を演算することを特徴とする請求項１に記載の街灯制御システム。
【発明の詳細な説明】
【技術分野】
【０００１】
本発明は、照明手段の光源として発光ダイオード（ＬＥＤ）を用い、ユーザの利用要求によって証明手段を点灯させるとともに、ユーザの移動速度等によって照度を制御する機能を有する街灯制御システムに関する。
【背景技術】
【０００２】
従来の街灯設備は、照度感知により自動点灯しており、通行者等が不在であっても夜間を通して点灯しているために電力の浪費となっている。一方でこれら街灯設備の設置場所は自治体等の行政機関の判断に基づいたものであり、例えば学生の通学ルート等のように、街灯設置を希望するすべてのニーズには対応できていない。
【０００３】
そのため、発光ダイオードを使用した街灯装置及び照明装置に関する技術等が提案されている。（例えば特許文献１を参照）。
【先行技術文献】
【特許文献】
【０００４】
【特許文献１】特開２００３−１００１１１号公報
【発明の概要】
【発明が解決しようとする課題】
【０００５】
従来の街灯設備では、自動点滅器の照度感知により夜間自動点灯をしているが、自動点滅器が不良となった場合には、日中でも点灯状態が継続されて電力が浪費されるという問題があった。また、防犯目的を主とした街灯設備の場合には、夜間であれば無人状態であっても点灯状態が継続するため電力が浪費されるという問題があった。さらに、夜間の点灯が求められるエリアでも、街灯設備の設置には工事等が必要であるため、迅速に対応できないという問題があった。これらの問題は、特許文献１によっても解決するものではない。
【０００６】
本発明は、上述のかかる事情に鑑みてなされたものであり、予め登録されたユーザが街灯近くを通過するときのみ点灯し、またユーザの移動速度等に応じて適切な照度に調整することのできる、省エネルギー効果の高い街灯制御システムを提供することを目的とする。
【課題を解決するための手段】
【０００７】
上記の目的を達成するため本発明に係る街灯制御システムは、エリア内を移動するユーザが携行するユーザ識別情報が格納された発信器と、前記発信器から出力される電波を受信し、前記ユーザ識別情報を読み取る受信センサを有し、エリア内に分散して配置された街灯装置と、前記街灯装置とネットワークを介して接続する予約サーバと、を含んで構成される街灯制御システムであって、前記街灯装置は、前記受信センサで読み取ったユーザ識別情報を該街灯装置の識別情報とともにユーザ位置情報として前記予約サーバへ送信する通信装置と、前記予約サーバから送られてくる点灯指令に基づいて、点灯させる発光ダイオードの数を調整して点灯させる点灯装置を備え、前記予約サーバは、ユーザの性別その他のユーザ属性情報を保存するユーザデータベースと、前記街灯装置から受信したユーザ識別情報と、該ユーザ識別情報を送信した前記街灯装置の識別情報とを、該ユーザ識別情報を受信した時刻情報に関連付けて記録するユーザ位置受信処理手段と、前記ユーザ位置受信処理手段により、同一のユーザ識別情報について異なる街灯装置からユーザ位置情報が受信された場合に、前記夫々の街灯装置の識別情報と予め備える街灯装置間の距離を前記時刻情報に基づいて算出された街灯装置間の移動時間で除して、移動速度を算出するエリア位置受信処理手段と、予約対象のエリアにいるユーザが予め設定した希望する明るさ区分、該ユーザの性別、該ユーザの移動速度に基づいて、エリア内の街灯の照度を演算する照度計算手段と、該照度計算手段によって演算された照度を点灯指令として、前記該当装置へ送信する点灯指令送信手段と、を備えたことを特徴とする。
【０００８】
本発明では、ユーザの携帯電話やＰＣからの予約情報を登録するネットワークサーバ（予約サーバ）と、サーバ内に予約された内容に基づいて自動点灯を行うべき街灯を自動で判定し、既存ネットワークを利用して該当する地域の街灯に接続して伝送する。そして街灯設備は、サーバから伝送された情報に基づいてユーザの移動情報に基づいて自動点灯を行う。
【０００９】
さらに、本発明に係る街灯制御システムの照度計算手段は、ユーザによって省エネモードが許可されていない場合は、エリア内にいるユーザの希望する明るさ区分のみに基づいて照度を演算することを特徴とする。
【発明の効果】
【００１０】
本発明によれば、予め登録されたユーザが街灯近くを通過するときのみ点灯し、またユーザの移動速度等に応じて適切な照度に調整することのできる省エネルギー効果の高い街灯制御システムを提供することが可能になる。また、電力消費の低減による省エネルギー効果とともに、電気使用料支払い公平性を確保することができる。これにより、街灯未設置地域であっても街灯設置の要望に応えることができる。
【図面の簡単な説明】
【００１１】
【図１】本発明の実施の形態による街灯制御システムの機能ブロック図である。
【図２】図１の街灯情報ＤＢのデータ構成図である。
【図３】図１のユーザＤＢのデータ構成図である。
【図４】図１の予約登録ＤＢのデータ構成図である。
【図５】図１のユーザ位置管理用一時バッファのデータ構成図である。
【図６】図１のエリア内ユーザ数管理用一時バッファのデータ構成図である。
【図７】図１の照度計算手段１２６の処理手順を示すフローチャートである。
【図８】本発明の実施の形態による照度補正条件テーブル
【発明を実施するための形態】
【００１２】
以下、本発明の実施の形態を説明する。図１は、本実施の形態による街灯制御システムの機能ブロック図である。
ここで、街灯制御システム１は、予約サーバ１０、および、予約サーバ１０とネットワーク３を介して接続するエコ街灯４から構成される。
【００１３】
また、街灯制御システム１は、ネットワーク３を介して予約者の端末装置（以下、「ユーザ端末」という。）２と接続されている。なお、予約サーバ１０とエコ街灯４が通信を行うネットワークと予約サーバ１０とユーザ端末２が通信を行うネットワークは別であっても良い。
【００１４】
次に、予約サーバ１０の構成を詳述する。
予約サーバ１０は、キーボードやタッチパネル等のデータを入力するための入力装置１４、データを表示する表示装置１５、ネットワーク３を介して、他の装置と通信を行う通信装置１１、種々のデータ処理を実行する演算装置１２、および、データを記憶する記憶装置１３を有している。
【００１５】
また、演算装置１２は、基本情報を登録する基本情報登録手段１２１、ユーザ情報を登録するユーザ情報登録手段１２２、ユーザ端末２から送られてくるユーザからの予約要求を受け付ける予約登録処理手段１２３、エコ街灯４から送られてくるユーザＩＤをもとにユーザ位置を特定するユーザ位置受信処理手段１２４、予め定められた所定のエリア内のユーザ数等を判定するエリア内ユーザ数判定手段１２５、この判定結果に基づいて街灯の照度を計算する照度計算手段１２６、照度計算手段１２６の計算結果を送信する点灯指令送信手段１２７、および、ユーザの利用状況によって課金額を演算する課金処理手段１２８を有している。なお、各手段１２１〜１２８は、ＣＰＵの機能としてプログラムによって実現可能である。
【００１６】
次に、エコ街灯４の構成を説明する。
エコ街灯４は、ネットワーク３を介して予約サーバ１０と通信を行う通信装置４１、複数の発光ダイオードを備え、通信装置４１を介して予約サーバ１０から送られてきた点灯指令に基づいて、発光ダイオードを点灯する点灯装置４３、およびユーザが所持するＩＣタグ等の発信器５の電波を受信して、予約サーバ１０へ通知する受信センサ４２を有している。エコ街灯４は、これらの装置４１〜４３をパッケージとして保有する装置である。
【００１７】
次に、上記の構成を有する街灯制御システム１の機能概要を説明する。
本実施の形態では、事前に点灯を申し込んだユーザを現地での感知対象とし、点灯予約があった地域（エリア）のうち街灯設備のない場所については、発光ダイオードを利用した貼り付け型または巻き付け型の街灯設備を設置する。街灯設備として用いる発光ダイオードの点灯／消灯あるいは照度を、ユーザの予約やその場の状況に応じて制御する。
【００１８】
点灯の予約をする際、ユーザは個人の携帯電話やパーソナルコンピュータ（ＰＣ）などのユーザ端末２から予約サーバ１０の予約専用サイトにアクセスし、街灯の点灯を希望する地域や時間帯などの情報を入力して予約を行う。このときユーザは点灯予約の地域や時間帯、希望する明るさ等について設定を行い、これらの情報は予約者個人の情報と共にすべてネットワーク３上に設置された予約サーバ１０に登録される。
【００１９】
以下、図２〜図７を参照煮ながら具体的な処理手順を説明する。
（基本情報登録処理）
予約サーバ１０のオペレータは、入力装置１４を介して、街灯情報を入力する。入力されたデータは、基本情報登録手段１２１によって記憶装置１３の街灯情報ＤＢ１３１に保存される。図２は、街灯情報ＤＢ１３１のデータ構成図である。街灯が設置されている地域ＩＤごとに、その地域に属する街灯のＩＤおよびその街灯の照度のデフォルト値が保存されている。このデフォルト値としては、最高照度時の点灯ＬＥＤ数として管理することができる。付近に他の街灯が無い場合は、点灯ＬＥＤ数を多くするなど、夜間の付近の明るさを考慮して、事前に設定登録される。また、各街灯ＩＤごとに隣接する街灯のＩＤおよびその街灯までの距離が保存されている。
【００２０】
（ユーザ情報登録処理）
本街灯点灯サービスの提供を受ける者は、事前に各ユーザ端末２からユーザ情報を登録する。ユーザ端末２から送られてきたユーザ情報は、ユーザ情報登録手段１２２によって、記憶装置１３のユーザＤＢ１３２に保存される。
【００２１】
図３は、ユーザＤＢ１３２のデータ構成図である。ユーザＤＢ１３２には、ユーザごとに、そのユーザの識別情報（ユーザＩＤ）、ユーザの性別、その他のユーザ属性情報が保存されている。
【００２２】
（予約登録処理）
次に、ユーザは、ユーザ端末２から夜間に通る地域（エリア）や時間帯を予約登録する。ユーザ端末２から送られてきた予約情報は、予約登録処理手段１２３によって、記憶装置１３の予約登録ＤＢ１３３に保存される。
【００２３】
図４は、予約登録ＤＢ１３３のデータ構成図である。予約者のユーザＩＤごとに、点灯予約地域の識別情報（地域ＩＤ）、予約時間帯、希望する明るさ区分、省エネモード許否などの情報が保存されている。
【００２４】
なお、予約時間帯は、特定の期日や期間のほか、毎日、毎曜日など生活の状況に応じて、任意の区分から選択できるものとする。また、時間帯については、このエリアの通過可能性のある時間帯を登録しておくようにする。
【００２５】
希望の明るさ区分とは、明るめ、普通、暗めなど区分から選択可能になっている。この明るさによって、後の処理によって照度すなわち点灯するＬＥＤの数が決定され課金額が算出されるのである。省エネモード許否については、後述する。
【００２６】
予約登録処理手段１２３は、予約登録ＤＢ１３３への登録処理が完了すると、街灯情報ＤＢ１３１を参照して、そのユーザの点灯予約地域の地域ＩＤに属する街灯ＩＤを抽出し、抽出した各街灯ＩＤのエコ街灯４へ、そのユーザの予約情報を送信する。
【００２７】
送信された予約情報は、ネットワーク３を介して、該当するエコ街灯４の通信装置４１によって受信さる。通信装置４１は、演算処理機能やメモリ機能を有しており、予約サーバ１０から送られてきた予約情報は、このメモリに記憶される。
【００２８】
（ユーザ位置受信処理）
ユーザは、ＲＦＩＤタグなどの発信器５を所持しているものとする。この発信器５は例えば、ユーザの所持品や自転車、自動車などの乗り物に装着しておいても良い。発信器５には、ユーザＩＤが記憶されており、発信器５が近づくとＲＦＩＤリーダなどの受信センサ４２によってそのユーザＩＤが読み取られるようになっている。
【００２９】
そして、事前に予約登録をしたユーザがその日時に点灯予約地域に入ると、エコ街灯４の受信センサ４２は、発信器５の電波を検知して、ユーザＩＤを読み取り、通信装置４１へ通知する。通信装置４１は、事前に記憶されている予約情報にそのユーザＩＤが含まれているか否かを判定し、そのユーザＩＤが含まれている場合は、予約登録された時間帯か否かを判定する。予約登録された時間帯の場合は、通信装置４１は、予約サーバ１０へ、エコ街灯に予め割り付けられている街灯ＩＤとユーザＩＤとを含むユーザ位置情報を送信する。また、エコ街灯４は、受信センサ４２が既に登録したユーザＩＤをその後一定時間検知しなくなると、そのユーザを検知しなくなった旨の不検知情報を予約サーバ１０へ送信する。
【００３０】
予約サーバ１０のユーザ位置受信処理手段１２４は、エコ街灯４から送られてくるユーザ位置情報を受信すると、ユーザ位置管理用の一時バッファ１３４に保存する。このバッファは、記憶装置１３に設けるようにしても良いが、ＣＰＵの内部メモリなどに設けるようにしても良い。
【００３１】
図５に、ユーザ位置管理用一時バッファ１３４のデータ例を示す。ユーザＩＤごとに、現在位置情報として、現在そのユーザを検知しているエコ街灯４の街灯ＩＤが登録される。また、現在位置の街灯ＩＤが変化した場合は、旧街灯ＩＤは、移動履歴用バッファに移される。
【００３２】
次に、ユーザ位置受信処理手段１２４は、現在位置の街灯ＩＤと、その直前に現在位置であった街灯ＩＤを抽出し、街灯情報ＤＢ１３１を参照して、そのＩＤに対応する隣接街灯との距離を抽出する。一方、その移動履歴のそれぞれの検知時刻の差を計算し、距離を時刻の差で序することによって、ユーザの移動速度を算出し、ユーザ位置管理用一時バッファ１３４の現在速度のデータ領域に保存する。
【００３３】
したがって、ユーザが移動した場合、そのユーザのユーザＩＤは、複数の異なるエコ街灯４から送られてくることになり、ユーザ位置管理用一時バッファ１３４の現在位置エリアに保存されるユーザＩＤは、後着優先となる。すなわち、後から送信したエコ街灯４の街灯ＩＤがユーザの現在位置となる。また、ユーザ位置受信処理手段１２４は、エコ街灯４から不検知情報を受信すると、そのユーザＩＤの現在位置がそのエコ街灯か否かを判定し、そのエコ街灯である場合は、現在位置情報をクリアする。ユーザが事前予約されたエリア内で移動する場合は、現在位置情報にはそのエリアの街灯ＩＤが常に記録されるが、ユーザが事前予約をしているエリアの外に出たような場合には、現在位置情報はクリアされることになる。
【００３４】
各エコ街灯４では、予約日あるいは予約時間帯以外の場合は、受信センサ４２が検知をしても通信装置４１は、予約サーバ１０には通知しない。これによって、日中や他の点灯不用な時間帯にそのエリアを通過しても、無用に点灯することを防止することができる。また、このようにエコ街灯４側で、送信するか否かを判定するので、ネットワーク３のトラフィックを低く抑えることができる。
【００３５】
（エリア内ユーザ数判定処理）
エリア内ユーザ数判定手段１２５は、周期的に起動されると、ユーザ位置管理用一時バッファ１３４内の各ユーザＩＤの現在位置情報として保存されている街灯ＩＤを抽出して、エリア内ユーザ数管理用一時バッファ１３５の当該街灯ＩＤに関連付けて、ユーザＩＤを登録していく。このバッファ１３５は、バッファ１３４と同様に記憶装置１３に設けるようにしても良いが、ＣＰＵの内部メモリなどに設けるようにしても良い。
【００３６】
図６は、エリア内ユーザ数管理用一時バッファ１３５のデータ例である。このバッファは、現在、その街灯下にどのユーザがいるかを管理するものである。
【００３７】
エリア内ユーザ数判定手段１２５は、いずれかの街灯ＩＤのユーザＩＤが変化すると、照度計算手段１２６を起動するとともに、変化のあった街灯ＩＤを引数として照度計算手段１２６に渡す。
【００３８】
（照度計算処理）
次に、図７を参照して、照度計算手段１２６の処理手順を説明する。
照度計算手段１２６は起動されると、まず各変数やカウンタの初期化処理を行う（Ｓ１０１〜Ｓ１０４）。ここで、変数としては、ユーザの設定する明るさ区分のうち最高の照度を抽出するための変数（照度変数Ｘ）、速度により照度を補正するための変数（速度補正変数Ｙ）、あるエリア内のユーザ数により照度を補正するための変数（ユーザ数補正変数Ｚ）がある。また、カウンタとしては、あるエリア内の男性の人数をカウントするための男性カウンタと女性の人数をカウントするための女性カウンタがある。
【００３９】
ステップＳ１０４の後、照度計算手段１２６は、エリア内ユーザ数判定手段１２５から渡された街灯ＩＤのエリア内ユーザ数管理用一時バッファ１３５にアクセスして、当該バッファに保存されているユーザＩＤを抽出する（Ｓ１０５）。そして、抽出した全ユーザＩＤについて以下の処理を実行する。
【００４０】
照度計算手段１２６は、予約登録ＤＢ１３３にアクセスしてそのユーザの省エネモード許否情報を抽出し（Ｓ１０７）、抽出した省エネモード許否情報が「許可」か否かを判定する（Ｓ１０８）。この判定の結果、「許可」でない場合は（Ｓ１０８で「ＮＯ」）、補正無効フラグをセットする（Ｓ１０９）。
【００４１】
次に、照度計算手段１２６は、予約登録ＤＢ１３３にアクセスして、そのユーザの希望する明るさ区分を抽出する（Ｓ１１０）。そして、抽出した区分の照度が、変数Ｘよりも大きいか否かを判定し（Ｓ１１１）、大きければ（Ｓ１１１１で「ＹＥＳ」）、抽出した区分の照度を変数Ｘにセットする（Ｓ１１１２）。
【００４２】
照度計算手段１２６は、次に、ユーザＤＢ１３２を参照して、そのユーザＩＤに関連付けられている性別情報を抽出する（Ｓ１１３）。そして、抽出した性別が女性の場合は（Ｓ１１４で「ＹＥＳ」）、女性カウンタをインクリメントし（Ｓ１１５）、男性の場合は（Ｓ１１４で「ＮＯ」）、男性カウンタをインクリメントする（Ｓ１１６）。
【００４３】
照度計算手段１２６は、次にユーザ位置管理用一時バッファ１３４にアクセスして、そのユーザＩＤに関連付けられている現在速度情報を抽出し（Ｓ１１７）、予め記憶装置１３に保存されている照度補正条件テーブルの照度補正条件２にアクセスして、そのユーザの照度補正割合を抽出する（Ｓ１１８）。図８に照度補正条件テーブルの構成例を示す。同一街灯下のユーザの性別によって照度を補正するための照度補正条件１と、ユーザの移動速度によって照度を補正するための照度補正条件２から構成されている。
【００４４】
そして、抽出した照度補正割合が変数Ｙよりも大きいか否かを判定し（Ｓ１１９）、大きい場合は（Ｓ１１９で「ＹＥＳ」）、抽出した照度補正割合を変数Ｙにセットする（Ｓ１２０）。以上のステップＳ１０７〜Ｓ１２０までの処理を、ステップＳ１０５で抽出した全てのユーザＩＤについて繰り返す（Ｓ１０６ａ〜Ｓ１０６ｂ）。
【００４５】
その後、照度計算手段１２６は、補正無効フラグがセットされているか否かを判定し（Ｓ１２１）、セットされている場合は（Ｓ１２１で「ＹＥＳ」）、変数Ｘの値をそのエリアの照度として算出する（Ｓ１２２）。
【００４６】
ステップＳ１２１で「ＮＯ」の場合は、照度計算手段１２６は、照度補正条件１にアクセスして（Ｓ１２３）、男性カウンタの値、女性カウンタの値をもとに、照度補正条件１のいずれかの補正条件に該当するか否かを判定し（Ｓ１２４）、該当する場合は、その照度補正割合を変数Ｚにセットする（Ｓ１２５）。
【００４７】
そして、照度計算手段１２６は、変数Ｘの値と変数Ｙの値と変数Ｚの値とを掛け合わせて、そのエリアの補正された照度を算出する（Ｓ１２６）。
【００４８】
なお、照度計算手段１２６は、後日街灯点灯時の電気料金を予約者に請求するため、予約者のＩＤ、点灯時間、そして点灯した街灯とＬＥＤ数をユーザＤＢ１３２の利用履歴として保存する。
【００４９】
（点灯指令送信処理）
次に、点灯指令送信手段１２７は、照度計算手段１２６の演算結果である街灯ＩＤごとの点灯発光ダイオードの数を点灯指令として、それぞれの街灯ＩＤに対応するエコ街灯４に送信する。
【００５０】
各エコ街灯４の通信装置４１は、予約サーバ１０から送られてきた点灯指令を受信すると、点灯装置４３によって、点灯指令によって通知された照度に相当する数の発光ダイオードを点灯させる。なお、予約サーバ１０からは、点灯指令として点灯する発光ダイオードの数を送信しても良いし、明るさの指標である照度情報を送信し、エコ街灯４側で予め決められた対応表に基づいて点灯させる発光ダイオードの数を算出するようにしても良い。
【００５１】
（課金処理）
次に課金処理手段１２８は、ユーザＤＢ１３２に利用履歴に基づいて、ユーザが利用した時間で課金額を計算する。このとき、エリア内に同時に居たユーザ数によってその時点の照明費用を按分するが、このとき希望する明るさ区分や省エネモード許否のデータによって重み付けを行うようにしても良い。
【００５２】
以上、本実施の形態によれば、点灯させる発光ダイオード（点灯ＬＥＤ）の数を制御することによって街灯の照度を調整できるため、人が単独で通行する際は明るくし、車や複数人で通行する際は暗くする等の細かな設定が可能になる。また、複数の予約者により重複する地域に点灯予約がされた場合は、同一地域（エリア）内で複数の街灯がほぼ同時に点灯することから、個々街灯の点灯ＬＥＤの数を抑えるなど、消費電力を抑えることが可能になる。
【００５３】
また街灯設備が現地に存在しない箇所について点灯予約があった場合であっても、感光体に発光ダイオードを利用した街灯設備を用いることで、建物の壁面や樹木等への貼り付け・巻き付け式のエコ街灯を設置し、いかなるルートでも点灯が可能となる。このエコ街灯は、任意でのサイズ変更が可能であり、貼り付け及び巻き付けが可能であり、発光色も自由選択できるので、単なる防犯目的の点灯以外にもイルミネーション的な活用も可能である。
【００５４】
本発明は、上述の実施の形態に限定されることなく、その要旨を逸脱しない範囲で種々変形して実現することができる。例えば、照度計算手段は、ユーザの移動速度に応じて一定時間遅延させて消灯するようにしても良い。具体的には、ある街灯下でユーザからの電波を受信しなくなった場合、そのユーザの移動速度が遅い場合は、速い場合に比べて、遅延時間を相対的に長くする、あるいは、移動速度が予め定めた閾値よりも小さい場合は、一定以上の遅延時間後に消灯する。これにより、予約者が車や自転車の場合は早目に消灯して省エネルギー化を図るとともに歩行者の場合は点灯予約地域外に出てからも十分な時間点灯状態を維持することができ、歩行者の安全を確保することができる。
【符号の説明】
【００５５】
１  街灯制御システム
２  ユーザ端末
３  ネットワーク
４  エコ街灯（街灯装置）
５  発信器
１０  予約サーバ
１１，４１  通信装置
１２  演算装置
１３  記憶装置
１４  入力装置
１５  表示装置
４２  受信センサ
４３  点灯装置
１２１  基本情報登録手段
１２２  ユーザ情報登録手段
１２３  予約登録処理手段
１２４  ユーザ位置受信処理手段
１２５  エリア内ユーザ数判定手段
１２６  照度計算手段
１２７  点灯指令送信手段
１２８  課金処理手段
１３１  街灯情報ＤＢ
１３２  ユーザＤＢ
１３３  予約情報ＤＢ
１３４  ユーザ位置管理用一時バッファ
１３５  エリア内ユーザ数管理用一時バッファ
【図２】
2012003937.tif 000003
【図３】
2012003937.tif 000004
【図４】
2012003937.tif 000005
【図５】
2012003937.tif 000006
【図６】
2012003937.tif 000007
【図７】
2012003937.tif 000008
【図８】
2012003937.tif 000009
【図１】
2012003937.tif 000010